(57)【要約】【課題】文書全体として強調したい部分のみを容易に強調することができる画像処理装置を提供すること。【解決手段】画像処理装置１２０は、画像出力装置１３０が画像を出力する際に使用を制限する色域及び非制限とする色域を設定する色域設定部１２１と、入力したオブジェクト毎の画像データが有する色域を検出する色域検出部１２３と、色域設定部１２１が設定した色域と色域検出部１２３が検出した色域とに応じて画像データ出力装置１１０から入力するオブジェクト毎の色変換パラメータを決定するパラメータ決定部１２４と、パラメータ決定部１２４が決定した色変換パラメータに応じて画像データ出力装置１１０からの画像データにカラーマッチング処理を施してプリンタ用の画像データに色変換し、色変換したデータを画像出力装置１３０に出力する色変換部１２６とを備える。【選択図】図３
2009218823.tif 000002
【特許請求の範囲】
【請求項１】
文書の１つの頁に相当するデータに含まれる画像データを個々に出力する画像データ出力装置と、前記画像データに基づいた画像を１つの頁にまとめて出力する画像出力装置とに接続された画像処理装置であって、
前記画像出力装置が色再現可能な色域のうち、前記画像出力装置が前記画像を１つの頁にまとめて出力する際に使用を制限する色域及び制限しない色域を設定する色域設定手段と、
前記画像データ出力装置から入力した入力画像データ毎に前記入力画像データが含む色域を検出する色域検出手段と、
前記色域設定手段が設定した色域及び前記色域検出手段が検出した色域に応じて色変換パラメータを決定する色変換パラメータ決定手段と、
前記色変換パラメータに応じて前記入力画像データを色変換する色変換手段とを備えたことを特徴とする画像処理装置。
【請求項２】
前記画像データ出力装置は、前記画像データの属性を示す属性情報を出力するものであって、
前記色域検出手段は、前記属性情報に応じて、前記画像データ出力装置から入力した入力画像データ毎に前記入力画像データが含む色域を検出し、
前記色変換パラメータ決定手段は、前記属性情報と、前記画像出力装置が色再現可能な色域と、前記色域設定手段が設定した色域と、前記色域検出手段が検出した色域とに応じて色変換パラメータを決定することを特徴とする請求項１に記載の画像処理装置。
【請求項３】
前記属性情報は、イメージ、文字及びグラフィックスの少なくとも１つを識別するための識別情報を含み、
前記色域設定手段は、前記識別情報に応じて、使用を制限する色域及び制限しない色域を設定することを特徴とする請求項２に記載の画像処理装置。
【請求項４】
前記色域設定手段は、少なくとも色相を指定するものであって、指定した色相に対応する色域を、使用を制限する色域及び制限しない色域のいずれかに設定することを特徴とする請求項１乃至３のいずれか１つに記載の画像処理装置。
【請求項５】
文書の１つの頁に相当するデータに含まれる画像データを個々に出力する画像データ出力装置と、前記画像データに基づいた画像を１つの頁にまとめて出力する画像出力装置とに接続された画像処理装置が画像を処理する画像処理方法であって、
前記画像出力装置が色再現可能な色域のうち、前記画像出力装置が前記画像を１つの頁にまとめて出力する際に使用を制限する色域及び制限しない色域を設定する色域設定ステップと、
前記画像データ出力装置から入力した入力画像データ毎に前記入力画像データが含む色域を検出する色域検出ステップと、
前記色域設定ステップにおいて設定した色域及び前記色域検出ステップにおいて検出した色域に応じて色変換パラメータを決定する色変換パラメータ決定ステップと、
前記色変換パラメータに応じて前記入力画像データを色変換する色変換ステップとを含むことを特徴とする画像処理方法。
【請求項６】
前記画像データ出力装置は、前記画像データの属性を示す属性情報を出力するものであって、
前記色域検出ステップにおいて、前記属性情報に応じて、前記画像データ出力装置から入力した入力画像データ毎に前記入力画像データが含む色域を検出し、
前記色変換パラメータ決定ステップにおいて、前記属性情報と、前記画像出力装置が色再現可能な色域と、前記色域設定手段が設定した色域と、前記色域検出手段が検出した色域とに応じて色変換パラメータを決定することを特徴とする請求項５に記載の画像処理方法。
【請求項７】
文書の１つの頁に相当するデータに含まれる画像データを個々に出力する画像データ出力装置と、前記画像データに基づいた画像を１つの頁にまとめて出力する画像出力装置とに接続された画像処理装置としてコンピュータを機能させるための画像処理プログラムであって、
前記コンピュータを、
前記画像出力装置が色再現可能な色域のうち、前記画像出力装置が前記画像を１つの頁にまとめて出力する際に使用を制限する色域及び制限しない色域を設定する色域設定手段と、
前記画像データ出力装置から入力した入力画像データ毎に前記入力画像データが含む色域を検出する色域検出手段と、
前記色域設定手段が設定した色域及び前記色域検出手段が検出した色域に応じて色変換パラメータを決定する色変換パラメータ決定手段と、
前記色変換パラメータに応じて前記入力画像データを色変換する色変換手段として機能させることを特徴とする画像処理プログラム。
【請求項８】
前記画像データ出力装置は、前記画像データの属性を示す属性情報を出力するものであって、
前記色域検出手段は、前記属性情報に応じて、前記画像データ出力装置から入力した入力画像データ毎に前記入力画像データが含む色域を検出し、
前記色変換パラメータ決定手段は、前記属性情報と、前記画像出力装置が色再現可能な色域と、前記色域設定手段が設定した色域と、前記色域検出手段が検出した色域とに応じて色変換パラメータを決定することを特徴とする請求項７に記載の画像処理プログラム。
【請求項９】
請求項７又は請求項８に記載された画像処理プログラムをコンピュータが読み取り可能に記憶したことを特徴とする画像処理記憶媒体。
【発明の詳細な説明】
【技術分野】
【０００１】
本発明は、画像処理装置、画像処理方法、画像処理プログラム及び画像処理記憶媒体に関し、特に、複数のオブジェクトから構成される文書画像を処理する画像処理装置、画像処理方法、画像処理プログラム及び画像処理記憶媒体に関する。
【背景技術】
【０００２】
近年、カラー画像表示装置やカラープリンタが普及したため、コンピュータ等で作成される文書は、色を使って強調する表現方法が多用されるようになった。例えば、コンピュータで利用される各種アプリケーションのうち、文書作成ソフトにおいては、カラーパレット内の目立ち易い高彩度色を文字色として選択させ、文章中の単語やフレーズ等を強調表示することができる。また、図やイラスト等の作成に適した描画ソフトにおいては、独自のカラーパレットから色を選択させ、図形や線分の色を指定することができる。そして、作成者が特に重要と考える部分や強調したい部分には、目立ち易い高彩度色が使用される。さらに、表計算ソフトにおいては、数値を表に入力するだけで自動的に円グラフや棒グラフを生成する機能を備え、グラフの各領域とこれらに隣接する他の領域との識別を容易にするための配色も自動的に決定される。
【０００３】
一方、前述のように作成された文章や図、グラフ等は、そのアプリケーション単独で利用されるだけでなく、別のアプリケーションの文書を構成するオブジェクト（部品）として、コピーされ、あるいはリンクが張られ、利用されることも多い。ただし、この場合は、個々のオブジェクトとしては強調した方がよくても、文書全体としてみると強調しない方がよいことが多い。これは、複数のオブジェクトから構成される文書画像において各オブジェクトがそれぞれ強調されていると、文書全体として強調したい部分が不明瞭になるためである。したがって、文書全体として強調したい部分のみを強調したり、不要な強調を抑制したりできることが望ましい。
【０００４】
従来、この種の処理が行えるものとして、例えば特許文献１及び２に記載されたものが知られている。
【０００５】
まず、特許文献１に記載されたものは、アプリケーションがオブジェクト毎に適した色変換処理の属性情報を設定し、その属性情報に従って最適な色変換処理を実行するようになっている。
【０００６】
また、特許文献２には、複数種類の出力デバイスにおいて同一の色再現を得ることができる画像処理方法が記載されており、この方法を用いれば、不要な強調を抑制することができる。具体的には、特許文献２に記載されたものは、複数の出力デバイスに共通する色再現領域内に画像データをマッピングし、特定の出力デバイス用の画像データに色変換するようになっている。ここで、複数の出力デバイスに共通する色再現領域は、一般に出力デバイス数が増えるほど狭くなる傾向を持っているので、強調のため選ばれた高彩度色も結果的に低彩度に変換され、不要な強調が抑制されることとなる。
【特許文献１】特許第３４５０３８７号公報
【特許文献２】特許第３５１３３３４号公報
【発明の開示】
【発明が解決しようとする課題】
【０００７】
しかしながら、特許文献１に記載されたものにあっては、オブジェクト毎に適した色変換処理を実行する構成となっているので、文書全体として強調したい部分のみを強調することができないという課題があった。
【０００８】
また、特許文献２に記載されたものにあっては、複数の出力デバイスに共通する色再現領域に基づいて色変換する構成となっているので、強調を抑制しようとする色域を任意に制御できず、文書全体として強調したい部分の強調が制限されてしまうという課題があった。
【０００９】
本発明は、従来の課題を解決するためになされたものであり、文書全体として強調したい部分のみを容易に強調することができる画像処理装置、画像処理方法、画像処理プログラム及び画像処理記憶媒体を提供することを目的とする。
【課題を解決するための手段】
【００１０】
本発明の画像処理装置は、文書の１つの頁に相当するデータに含まれる画像データを個々に出力する画像データ出力装置と、前記画像データに基づいた画像を１つの頁にまとめて出力する画像出力装置とに接続された画像処理装置であって、前記画像出力装置が色再現可能な色域のうち、前記画像出力装置が前記画像を１つの頁にまとめて出力する際に使用を制限する色域及び制限しない色域を設定する色域設定手段と、前記画像データ出力装置から入力した入力画像データ毎に前記入力画像データが含む色域を検出する色域検出手段と、前記色域設定手段が設定した色域及び前記色域検出手段が検出した色域に応じて色変換パラメータを決定する色変換パラメータ決定手段と、前記色変換パラメータに応じて前記入力画像データを色変換する色変換手段とを備えた構成を有している。
【００１１】
この構成により、本発明の画像処理装置は、文書全体として強調したい部分のみを色域設定手段が設定し、色域検出手段が検出した画像データにおいて分布する色域に応じて色変換パラメータを色変換パラメータ決定手段が決定し、決定した色変換パラメータで画像データを色変換手段が変換するので、複数のオブジェクトから構成される文書画像に対し、文書全体として強調したい部分のみを容易に強調することができる。
【００１２】
また、本発明の画像処理装置は、前記画像データ出力装置は、前記画像データの属性を示す属性情報を出力するものであって、前記色域検出手段は、前記属性情報に応じて、前記画像データ出力装置から入力した入力画像データ毎に前記入力画像データが含む色域を検出し、前記色変換パラメータ決定手段は、前記属性情報と、前記画像出力装置が色再現可能な色域と、前記色域設定手段が設定した色域と、前記色域検出手段が検出した色域とに応じて色変換パラメータを決定する構成を有している。
【００１３】
この構成により、本発明の画像処理装置は、画像データの属性を示す属性情報に基づいて、文書全体として強調したい部分のみを容易に強調することができる。
【００１４】
さらに、本発明の画像処理装置は、前記属性情報が、イメージ、文字及びグラフィックスの少なくとも１つを識別するための識別情報を含み、前記色域設定手段は、前記識別情報に応じて、使用を制限する色域及び制限しない色域を設定する構成を有している。
【００１５】
この構成により、本発明の画像処理装置は、色域設定手段が、識別情報に基づいて、使用を制限する色域及び制限しない色域を設定するので、文書全体として強調したい部分のみを容易に強調することができる。
【００１６】
さらに、本発明の画像処理装置は、前記色域設定手段は、少なくとも色相を指定するものであって、指定した色相に対応する色域を、使用を制限する色域及び制限しない色域のいずれかに設定する構成を有している。
【００１７】
この構成により、本発明の画像処理装置は、少なくとも色相を指定することによって、使用を制限する色域又は制限しない色域を設定することができるので、文書全体として強調したい部分のみを容易に強調することができる。
【００１８】
本発明の画像処理方法は、文書の１つの頁に相当するデータに含まれる画像データを個々に出力する画像データ出力装置と、前記画像データに基づいた画像を１つの頁にまとめて出力する画像出力装置とに接続された画像処理装置が画像を処理する画像処理方法であって、前記画像出力装置が色再現可能な色域のうち、前記画像出力装置が前記画像を１つの頁にまとめて出力する際に使用を制限する色域及び制限しない色域を設定する色域設定ステップと、前記画像データ出力装置から入力した入力画像データ毎に前記入力画像データが含む色域を検出する色域検出ステップと、前記色域設定ステップにおいて設定した色域及び前記色域検出ステップにおいて検出した色域に応じて色変換パラメータを決定する色変換パラメータ決定ステップと、前記色変換パラメータに応じて前記入力画像データを色変換する色変換ステップとを含む構成を有している。
【００１９】
この構成により、本発明の画像処理方法は、文書全体として強調したい部分のみを色域設定ステップにおいて設定し、色域検出ステップで検出した画像データにおいて分布する色域に応じて色変換パラメータを色変換パラメータ決定ステップにおいて決定し、決定した色変換パラメータで画像データを色変換ステップにおいて変換するので、複数のオブジェクトから構成される文書画像に対し、文書全体として強調したい部分のみを容易に強調することができる。
【００２０】
また、本発明の画像処理方法は、前記画像データ出力装置が、前記画像データの属性を示す属性情報を出力するものであって、前記色域検出ステップにおいて、前記属性情報に応じて、前記画像データ出力装置から入力した入力画像データ毎に前記入力画像データが含む色域を検出し、前記色変換パラメータ決定ステップにおいて、前記属性情報と、前記画像出力装置が色再現可能な色域と、前記色域設定手段が設定した色域と、前記色域検出手段が検出した色域とに応じて色変換パラメータを決定する構成を有している。
【００２１】
この構成により、本発明の画像処理方法は、画像データの属性を示す属性情報に基づいて、文書全体として強調したい部分のみを容易に強調することができる。
【００２２】
本発明の画像処理プログラムは、文書の１つの頁に相当するデータに含まれる画像データを個々に出力する画像データ出力装置と、前記画像データに基づいた画像を１つの頁にまとめて出力する画像出力装置とに接続された画像処理装置としてコンピュータを機能させるための画像処理プログラムであって、前記コンピュータを、前記画像出力装置が色再現可能な色域のうち、前記画像出力装置が前記画像を１つの頁にまとめて出力する際に使用を制限する色域及び制限しない色域を設定する色域設定手段と、前記画像データ出力装置から入力した入力画像データ毎に前記入力画像データが含む色域を検出する色域検出手段と、前記色域設定手段が設定した色域及び前記色域検出手段が検出した色域に応じて色変換パラメータを決定する色変換パラメータ決定手段と、前記色変換パラメータに応じて前記入力画像データを色変換する色変換手段として機能させる構成を有している。
【００２３】
この構成により、本発明の画像処理プログラムは、文書全体として強調したい部分のみを色域設定手段が設定し、色域検出手段が検出した画像データにおいて分布する色域に応じて色変換パラメータを色変換パラメータ決定手段が決定し、決定した色変換パラメータで画像データを色変換手段が変換するので、複数のオブジェクトから構成される文書画像に対し、文書全体として強調したい部分のみを容易に強調することができる。
【００２４】
また、本発明の画像処理プログラムは、前記画像データ出力装置が、前記画像データの属性を示す属性情報を出力するものであって、前記色域検出手段は、前記属性情報に応じて、前記画像データ出力装置から入力した入力画像データ毎に前記入力画像データが含む色域を検出し、前記色変換パラメータ決定手段は、前記属性情報と、前記画像出力装置が色再現可能な色域と、前記色域設定手段が設定した色域と、前記色域検出手段が検出した色域とに応じて色変換パラメータを決定する構成を有している。
【００２５】
この構成により、本発明の画像処理プログラムは、画像データの属性を示す属性情報に基づいて、文書全体として強調したい部分のみを容易に強調することができる。
【００２６】
本発明の画像処理記憶媒体は、画像処理プログラムをコンピュータが読み取り可能に記憶した構成を有している。
【００２７】
この構成により、本発明の画像処理記憶媒体は、画像処理プログラムをコンピュータが読み取り可能に記憶するので、この画像処理記憶媒体を読み取ったコンピュータは、文書全体として強調したい部分のみを色域設定手段として設定し、色域検出手段が検出した画像データにおいて分布する色域に応じて色変換パラメータを色変換パラメータ決定手段として決定し、決定した色変換パラメータで画像データを色変換手段として変換することにより、複数のオブジェクトから構成される文書画像に対し、文書全体として強調したい部分のみを容易に強調することができる。
【００２８】
また、この構成により、本発明の画像処理記憶媒体は、画像処理プログラムをコンピュータが読み取り可能に記憶するので、この画像処理記憶媒体を読み取ったコンピュータは、画像データの属性を示す属性情報に基づいて、文書全体として強調したい部分のみを容易に強調することができる。
【発明の効果】
【００２９】
本発明は、文書全体として強調したい部分のみを容易に強調することができるという効果を有する画像処理装置、画像処理方法、画像処理プログラム及び画像処理記憶媒体を提供することができるものである。
【発明を実施するための最良の形態】
【００３０】
以下、本発明の実施の形態について図面を用いて説明する。なお、本発明の画像処理装置を備えた画像処理システムを例に挙げて説明する。
【００３１】
（第１の実施の形態）
まず、本発明に係る画像処理システムの第１の実施の形態における構成について説明する。
【００３２】
図１は、本実施の形態における画像処理システム１００の構成を示すブロック図である。図１に示すように、本実施の形態における画像処理システム１００は、画像データ出力装置１１０と、画像処理装置１２０と、画像出力装置１３０とを備えている。画像処理システム１００は、例えば、ＣＰＵ（Central Processing Unit）、ＲＯＭ（Read Only Memory）、ＲＡＭ（Random Access Memory）、記憶媒体読み取り装置等を含むコンピュータで構成され、記憶媒体に記憶されたプログラムに基づいて動作するようになっている。
【００３３】
画像データ出力装置１１０は、アプリケーション１１１と、描画モジュール１１２とを備え、文書の１つの頁に相当するデータに含まれる画像データを個々に画像処理装置１２０に出力するようになっている。また、画像データ出力装置１１０は、文書の頁を識別するための頁識別信号も画像処理装置１２０に出力するようになっている。
【００３４】
アプリケーション１１１は、オブジェクト及びその頁レイアウト等を管理するソフトフェアであり、オブジェクト毎に描画命令の信号やイメージ（例えば、自然画）等の画像データを出力するようになっている。
【００３５】
描画モジュール１１２は、アプリケーション１１１からの描画命令に基づいて、図形や線等のグラフィクスや文字等の画像データを生成するようになっている。
【００３６】
ここで、アプリケーション１１１で作成される文書の一例を図２に示す。図２に示した文書は、代表的な３つのオブジェクト、すなわち、テキスト３０１、イメージ３０２、グラフィック３０３及び３０４を含む。詳細には、テキスト３０１は、赤色の"［概要］"という文字と、黒色文字の説明文とを含む。また、イメージ３０２は、カラーの風景イメージである。また、グラフィック３０３及び３０４は、それぞれ、カラーの円グラフ及び棒グラフである。
【００３７】
前述のように、３つのオブジェクトを代表的に例示したのは、一般的なコンピュータの環境で使用される描画命令の名称が、テキスト、イメージ及びグラフィックの場合でそれぞれ異なっているためである。なお、イメージオブジェクトは圧縮等が施されていても本質的には画像データに展開されるが、テキスト及びグラフィックのオブジェクトは描画命令のみで表現される。このため、テキスト及びグラフィックのオブジェクトを画像データに展開するため描画モジュール１１２を設けた構成となっている。
【００３８】
図１に戻り、構成の説明を続ける。画像処理装置１２０は、入力した画像データにカラーマッチング処理を施すことによって、後述するプリンタ１３２用の画像データに色変換し、画像出力装置１３０に出力するようになっている。なお、画像処理装置１２０の詳細な構成については後述する。
【００３９】
画像出力装置１３０は、合成モジュール１３１と、プリンタ１３２とを備え、画像データに基づいた画像を１つの頁にまとめて出力するようになっている。
【００４０】
合成モジュール１３１は、アプリケーション１１１からの描画命令に基づき、入力した画像データに係る画像をレイアウトし、頁単位の画像データを生成するようになっている。プリンタ１３２は、合成モジュール１３１が生成した頁単位の画像データを入力し、画像を出力するようになっている。
【００４１】
次に、図１及び図３に基づき、画像処理装置１２０の詳細な構成について説明する。図３は、画像処理装置１２０の詳細な構成を示すブロック図である。
【００４２】
図３に示すように、画像処理装置１２０は、色域設定部１２１と、画像バッファ１２２と、色域検出部１２３と、パラメータ決定部１２４と、パラメータ記憶部１２５と、色変換部１２６とを備えている。
【００４３】
色域設定部１２１は、例えば、キーボードやマウス等の入力装置、ＣＲＴ（Cathode Ray Tube）のような表示装置等を含むユーザーインタフェースを備え、ユーザーの入力に応じて、プリンタ１３２が画像を出力する際に使用を制限する色域及び非制限とする色域を設定するようになっている。なお、色域設定部１２１は、本発明に係る色域設定手段を構成する。
【００４４】
画像バッファ１２２は、画像データ出力装置１１０から入力した画像データを一時的に記憶するようになっている。ここで、画像バッファ１２２は、色域検出部１２３が色域を検出し、パラメータ決定部１２４が色変換パラメータを決定している間、対応する画像データを保持しており、色変換部１２６において参照される色変換パラメータと画像データとの同期を合わせる機能も有する。
【００４５】
色域検出部１２３は、画像データ出力装置１１０から入力したオブジェクト毎の画像データが有する色域を検出するようになっている。また、色域検出部１２３は、文書の頁を識別するための頁識別信号を画像データ出力装置１１０から入力するようになっている。なお、色域検出部１２３は、本発明に係る色域検出手段を構成する。
【００４６】
パラメータ決定部１２４は、色域設定部１２１が設定した色域と、色域検出部１２３が検出した色域とに応じて、画像データ出力装置１１０から入力するオブジェクト毎の色変換パラメータを決定するようになっている。なお、パラメータ決定部１２４は、本発明に係る色変換パラメータ決定手段を構成する。
【００４７】
パラメータ記憶部１２５は、プリンタ１３２が画像を出力する際に使用する色域を全く制限しない標準的なモードにおける色変換パラメータを記憶するようになっており、パラメータ決定部１２４に接続されている。したがって、色域設定部１２１において標準的なモードが設定されたとき、パラメータ決定部１２４は、パラメータ記憶部１２５に記憶されている色変換パラメータを取得するようになっている。
【００４８】
色変換部１２６は、パラメータ決定部１２４が決定した色変換パラメータに応じて、画像データ出力装置１１０からの画像データにカラーマッチング処理を施して、プリンタ１３２用の画像データに色変換し、色変換した画像データを画像出力装置１３０に出力するようになっている。なお、色変換部１２６は、本発明に係る色変換手段を構成する。
【００４９】
次に、本実施の形態における画像処理装置１２０の動作について説明する。図４は、画像処理装置１２０の動作を示すフロー図である。なお、画像処理システム１００は、図２に示したような文書の画像データを処理するものとする。
【００５０】
まず、色域設定部１２１は、プリンタ１３２が画像を出力する際に使用する使用色域を設定する（ステップＳ１１）。具体的には、色域設定部１２１は、画像を出力する際に使用を制限する色域と、非制限とする色域とを設定するための画面を表示装置に表示し、ユーザーに設定入力を促す。
【００５１】
その画面例を図５に示す。図５は、画像を出力する際に使用を制限しない色域のみを設定する場合の例を示している。図５に示す例では、色域は６つの色相、すなわち、赤、イエロー、緑、シアン、青、マゼンタに区分され、ユーザーは画像を出力する際に使用を制限しない色域を、色相を指定することで選択する。なお、画面はタッチパネルディスプレイに表示されており、色相名表示部５０１〜５０６をユーザーがタッチすることで、色域設定部１２１がその操作を検出し、色相の指定又は非指定をトグルで切換え、表示画面に反映される。なお、ここで非選択となった色相は、画像を出力する際に使用を制限する色域として設定されたとみなされる。
【００５２】
そして、色域設定部１２１は、ユーザーが設定した、使用を制限する色域及び非制限とする色域に基づいて、プリンタ１３２が画像を出力する際に使用する色域を決定する。
【００５３】
ここで、色域の決定方法の一例を図６及び図７に基づいて説明する。
【００５４】
まず、図６において、プリンタ１３２の色再現範囲６０１は、プリンタ１３２が再現可能な色再現範囲を、その色域を代表するイエロー（Ｙ）、シアン（Ｃ）、マゼンタ（Ｍ）の一次色、及び赤（Ｒ）、緑（Ｇ）、青（Ｂ）の二次色のＣＩＥＬＡＢ色空間のａ＊−ｂ＊色度平面での位置で表している。
【００５５】
また、図６は、赤色相は非制限、その他の色相は使用を制限する例を示している。図中の出力時使用色域６０２は、二次色の赤色相ではプリンタの色再現範囲６０１と等しく、その他は、色相は等しいが、彩度、すなわち、ａ＊＝ｂ＊＝０の点（Ｌ＊軸上の点）からの距離がプリンタ１３２の色再現範囲６０１の半分に設定されていることを示している。
【００５６】
また、図７は、Ｌ＊軸のある断面におけるプリンタ１３２の色再現範囲６０１と出力時使用色域６０２との関係を示す一例を表すものであり、この例では、プリンタ１３２の色再現範囲６０１の最外郭の点が、Ｌ＊軸上の特定の点（焦点６０３）に向かい、所定の位置で画像を出力する際に使用する色域となるように決定している。
【００５７】
以上のように、色域設定部１２１は、ユーザーが色相のみを指定することで、プリンタ１３２が画像を出力する際に使用を制限する色域と制限しない色域とを設定することができるので、文書全体として強調したい部分の詳細な設定が容易となる。
【００５８】
なお、前述の説明では、赤色相のみが非制限の例を示したが、他の色相のみが非制限の場合も同様に、画像を出力する際に使用する色域を決定する。さらに、複数の色相が非制限の場合も同様である。
【００５９】
また、図６を用いた説明では、赤色相以外をプリンタ１３２の色再現範囲６０１の半分として制限する例を挙げたが、本発明はこれに限定するものではなく、例えば、赤色相以外をプリンタ１３２の色再現範囲６０１の３／４や１／４等としてもよい。
【００６０】
また、図７を用いた説明では、Ｌ＊軸上の特定の点（焦点６０３）に向かって、画像を出力する際に使用する色域を決定したが、本発明はこれに限定するものではない。例えば、Ｌ＊軸の断面における最高彩度を示す点６０４、６０５（図７参照）を境に、上下で異なるＬ＊軸上の特定の点に向かうよう決定してもよい。
【００６１】
図４に戻り、動作の説明を続ける。ステップＳ１１で使用色域が設定されると、色域検出部１２３は、オブジェクト受付を行う（ステップＳ１２）。この処理は、画像処理装置１２０が画像処理の準備を完了したことを、色域検出部１２３が画像データ出力装置１１０に通知した後に開始されるものである。
【００６２】
次に、色域検出部１２３は、ステップＳ１１において設定された使用色域を評価して、色域制限を実施するか否かを判定する（ステップＳ１３）。ここでは、色域制限を実施しない、すなわち、ステップＳ１１において、全ての色域が非制限と設定されたかどうかを評価して、全ての色域が非制限と設定された場合は、後述する標準色変換処理４０４（ステップＳ１８）を実施する。
【００６３】
一方、ステップＳ１１においていずれかの色域を制限すると設定された場合は、色域検出部１２３は、色域検出を実施する（ステップＳ１４）。具体的には、色域検出部１２３は、画像データ出力装置１１０から入力したオブジェクトの画像データの色分布を調査して、画像データに存在する色域を検出する。この色域検出処理で検出された色域を以下「検出色域」という。
【００６４】
次に、色域検出部１２３が検出した検出色域が、ステップＳ１１において設定した使用色域の制限色域を超えるか否かの判定を行い（ステップＳ１５）、検出色域が制限色域を超えていなければ後述の標準色変換処理を実施する。
【００６５】
一方、検出色域が制限色域を超えている場合は、パラメータ決定部１２４は、パラメータの決定を実施する（ステップＳ１６）。具体的には、パラメータ決定部１２４は、色域検出部１２３が検出した検出色域と、ステップＳ１１において設定した使用色域とに応じて、色変換処理における色変換パラメータを決定する。
【００６６】
ここで、パラメータ決定部１２４が決定する色変換パラメータについて、その一例を図８及び図９に基づき説明する。
【００６７】
図８は、ステップＳ１４において取得した検出色域、すなわち、入力画像データの色域７０１と、ステップＳ１１で設定した出力時使用色域６０２との関係を、ＣＩＥＬＡＢ色空間のａ＊−ｂ＊色度平面で示すものである。
【００６８】
ここでは、入力画像データの色域７０１を線形に圧縮して、出力時使用色域６０２にマッピングする。すなわち、図９に示すように、入力画像データの色域の最外郭７０２を、出力時使用色域の最外郭７０３に対応させ、直線７０４で表したように、Ｌ＊軸（ａ＊＝ｂ＊＝０）を基準に中間を線形に色域圧縮する。
【００６９】
一般に、図８に示した出力時使用色域６０２を超える色域を、出力時使用色域６０２の最外郭にマッピングする最外郭マッピング法（図９の破線７０５）が、色再現の忠実性に優れているため多く使われる。この方法は、多くの色が色域最外郭にマッピングされて、階調潰れが起き易いという欠点を持つ。特に、意図的に画像を出力する際に使用する色域を制限する場合は、欠点が顕著に現れる。このため、本実施の形態では、前述したように線形に色域圧縮して階調潰れの発生を防ぎ、より好ましい結果を得ている。なお、本発明は前述の線形圧縮に限らず、中間を非線形圧縮して、両者の中間の効果を得る非線形圧縮法（図９の一点鎖線７０６）を採用してもよい。
【００７０】
以上のように、パラメータ決定部１２４は、前述したような方法を用いて、入力画像データが形成する色空間の代表点（格子点）に対応する画像データを求め、３次元ＬＵＴ（ルック・アップ・テーブル）、すなわち、色変換パラメータを決定する。
【００７１】
図４に戻り、色変換部１２６は、パラメータ決定部１２４が決定した色変換パラメータに基づいて、カスタマイズ色変換処理を実施し（ステップＳ１７）、オブジェクトの画像データをプリンタ１３２用の画像データに色変換する。
【００７２】
一方、前述の標準色変換処理（ステップＳ１８）を行う場合、パラメータ決定部１２４は、パラメータ記憶部１２５に記憶されている色変換パラメータのデータを読み出し、この色変換パラメータに基づいて色変換部１２６が色域を全く制限しない場合に適した色変換処理を行う。
【００７３】
また、色変換部１２６がステップＳ１７又はＳ１８の色変換処理を完了すると、色域検出部１２３は、画像データ出力装置１１０から入力する頁識別信号に基づいて、文書を構成する全てのオブジェクトの処理が終了したかどうかを判定し（ステップＳ１９）、終了していなければステップＳ１２に戻り、次のオブジェクトの受付を行う。
【００７４】
また、色域検出部１２３は、文書を構成する全てのオブジェクトの処理が終了していれば、処理を終了する。
【００７５】
なお、動作説明において述べた各処理をプログラミングし、当該プログラムのコードを記憶媒体に記憶した後、この記憶媒体を用いてコンピュータを動作させることにより、当該プログラムは、コンピュータを画像処理システム１００として機能させることができる。この場合、コンピュータは、図１に示した構成を有することとなる。
【００７６】
以上のように、本実施の形態における画像処理装置１２０によれば、画像出力装置１３０が再現可能な色域のうち、画像データをまとめて出力する際に使用を制限する色域及び非制限とする色域を設定する色域設定部１２１と、画像データ出力装置１１０から入力した画像データ毎に、画像データに分布する色域を検出する色域検出部１２３と、色域設定部１２１で設定された色域及び色域検出部１２３で検出した色域に応じて、色変換パラメータを決定するパラメータ決定部１２４と、パラメータ決定部１２４が決定した色変換パラメータに応じて、画像データ出力装置１１０から入力した画像データを色変換する色変換部１２６とを備える構成としたので、文書全体として強調したい部分のみを色域設定部１２１で設定し、色域検出部１２３で検出した画像データが分布する色域に応じて、色変換パラメータをパラメータ決定部１２４で決定し、決定したパラメータで色変換部１２６が画像データを変換するので、文書全体として強調したい部分のみを容易に強調することができる。
【００７７】
なお、前述の実施の形態において、代表的なＬａｂ色空間を例に挙げて説明したが、本発明は、これに限定されるものではなく、Ｌｕｖ色空間やマンセル色空間等の明度及び色度を有する色空間であれば適用することができる。
【００７８】
（第２の実施の形態）
まず、本発明に係る画像処理システムの第２の実施の形態における構成について説明する。なお、第１の実施の形態における画像処理システム１００（図１参照）と同様な構成要素には同一の符号を付し、重複する説明を省略する。
【００７９】
図１０は、本実施の形態における画像処理システム２００の構成を示すブロック図である。図１０に示すように、本実施の形態における画像処理システム２００は、画像データ出力装置２１０と、画像処理装置２２０と、画像出力装置１３０とを備えている。
【００８０】
画像データ出力装置２１０におけるアプリケーション２１１は、オブジェクト及びその頁レイアウト等を管理するソフトフェアであり、オブジェクト毎に描画命令の信号やイメージ等の画像データを出力するようになっている。ここで、本実施の形態における描画命令には、オブジェクトの属性情報を用いて色域制限の対象から外すオブジェクト、すなわち、色域を非制限とするオブジェクトを示す情報（以下「色域非制限オブジェクト情報」という。）も含まれている。例えば、色域非制限オブジェクト情報は、文字、イメージ、グラフィックス等のオブジェクトのうち、イメージのオブジェクトに対して色域制限を行わない旨を示すものである。そして、アプリケーション２１１は、色域非制限オブジェクト情報を含む描画命令の信号を画像処理装置２２０及び画像出力装置１３０に出力するようになっている。
【００８１】
図１１は、本実施の形態における画像処理装置２２０の構成を示すブロック図である。図１１に示すように、本実施の形態における画像処理装置２２０は、色域設定部１２１と、画像バッファ１２２と、色域検出部２２１と、パラメータ決定部２２２と、パラメータ記憶部１２５と、色変換部２２３とを備えている。
【００８２】
色域検出部２２１は、画像データ出力装置２１０から色域非制限オブジェクト情報を含む描画命令の信号を入力し、色域非制限オブジェクト情報によって指定されたオブジェクトについては当該オブジェクトの色域の検出を実行しないようになっている。
【００８３】
パラメータ決定部２２２は、画像データ出力装置２１０から色域非制限オブジェクト情報を含む描画命令の信号を入力し、色域非制限オブジェクト情報によって指定されたオブジェクトについては当該オブジェクトの色変換パラメータを決定しないようになっている。
【００８４】
色変換部２２３は、パラメータ決定部２２２が色域非制限オブジェクト情報によって色変換パラメータを決定しなかった場合、当該オブジェクトの画像データを色変換することなく、すなわち、画像バッファ１２２から読み出した画像データをそのまま画像出力装置１３０に出力するようになっている。
【００８５】
本実施の形態における画像処理装置２２０は、前述のように構成されているので、画像処理装置２２０の動作は図１２に示すようなフロー図となる。すなわち、色域制限を実施するかどうかの判定（ステップＳ１３）において、いずれかの色域を制限すると判定された場合は、処理対象のオブジェクトが色域非制限オブジェクト情報で示されたオブジェクトかどうかの判定（ステップＳ２１）を実施する。
【００８６】
具体的には、例えばイメージのオブジェクトのみを色域制限の対象から除外するよう色域非制限オブジェクト情報が示している場合、イメージのオブジェクトは標準色変換処理（ステップＳ１８）が実施される。一方、色域制限の対象オブジェクト、例えば文字やグラフィックスであれば、ステップＳ１４において色域検出処理が実施される。
【００８７】
本実施の形態でイメージのオブジェクトのみを色域制限の対象から除外する例を挙げたのは、画像処理対象のオブジェクトがイメージの場合、意図的な強調がされていないことが多く、色域制限をしてしまうとかえって彩度低下を招き、好ましい結果が得られないことが多いためである。ただし、本発明はこれに限定されるものではない。
【００８８】
以上のように、本実施の形態における画像処理装置２２０によれば、色域検出部２２１及びパラメータ決定部２２２は、画像データ出力装置２１０から色域非制限オブジェクト情報を含む描画命令の信号を入力する構成としたので、色域非制限オブジェクト情報に応じて、文書全体として強調したい部分のみを容易に強調することができる。
【００８９】
なお、前述の実施の形態において、アプリケーション２１１が、色域非制限オブジェクト情報を含む描画命令の信号を画像処理装置２２０及び画像出力装置１３０に出力する例を挙げて説明したが、本発明はこれに限定されるものではない。例えば、属性情報が、イメージ、文字及びグラフィックスの少なくとも１つを識別するための識別情報を含み、アプリケーション２１１が、識別情報を含む描画命令の信号を画像処理装置２２０に出力し、色域設定部１２１が、識別情報に基づいて、プリンタ１３２が画像を出力する際に使用を制限する色域及び非制限とする色域を設定するよう構成してもよい。
【産業上の利用可能性】
【００９０】
以上のように、本発明に係る画像処理装置、画像処理方法、画像処理プログラム及び画像処理記憶媒体は、文書全体として強調したい部分のみを容易に強調することができるという効果を有し、複数のオブジェクトから構成される文書画像を処理する画像処理装置、画像処理方法、画像処理プログラム及び画像処理記憶媒体等として有用である。
【図面の簡単な説明】
【００９１】
【図１】本発明の第１の実施の形態における画像処理システムの構成を示すブロック図
【図２】本発明の第１の実施の形態における画像処理システムのアプリケーションで作成される文書の一例を示す図
【図３】本発明の第１の実施の形態における画像処理システムの画像処理装置の詳細な構成を示すブロック図
【図４】本発明の第１の実施の形態における画像処理装置の動作を示すフロー図
【図５】本発明の第１の実施の形態における画像処理装置において、画像を出力する際に使用を制限しない色域のみを設定する場合の例を示す図
【図６】本発明の第１の実施の形態における画像処理装置において、色域の決定方法の一例を示す図
【図７】本発明の第１の実施の形態における画像処理装置において、Ｌ＊軸のある断面におけるプリンタの色再現範囲と出力時使用色域との関係の一例を示す図
【図８】本発明の第１の実施の形態における画像処理装置において、検出色域と出力時使用色域との関係をＣＩＥＬＡＢ色空間のａ＊−ｂ＊色度平面で示す図
【図９】本発明の第１の実施の形態における画像処理装置において、入力画像データの色域を線形に圧縮して出力時使用色域にマッピングする一例を示す図
【図１０】本発明の第２の実施の形態における画像処理システムの構成を示すブロック図
【図１１】本発明の第２の実施の形態における画像処理装置の動作を示すフロー図
【図１２】本発明の第２の実施の形態における画像処理装置の動作を示すフロー図
【符号の説明】
【００９２】
１００、２００  画像処理システム
１１０、２１０  画像データ出力装置
１１１、２１１  アプリケーション
１１２  描画モジュール
１２０、２２０  画像処理装置
１２１  色域設定部（色域設定手段）
１２２  画像バッファ
１２３、２２１  色域検出部（色域検出手段）
１２４、２２２  パラメータ決定部（色変換パラメータ決定手段）
１２５  パラメータ記憶部
１２６  色変換部（色変換手段）
１３０  画像出力装置
１３１  合成モジュール
１３２  プリンタ
２２３  色変換部
３０１  テキスト
３０２  イメージ
３０３、３０４  グラフィック
４０４  標準色変換処理
５０１〜５０６  色相名表示部
６０１  色再現範囲
６０２  出力時使用色域
６０３  焦点
６０４、６０５  Ｌ＊軸の断面における最高彩度を示す点
７０１  入力画像データの色域
７０２  入力画像データの色域の最外郭
７０３  出力時使用色域の最外郭
７０４  線形の色域圧縮を示す直線
７０５  出力時使用色域の最外郭にマッピングする最外郭マッピング法を示す破線
【図１】
2009218823.tif 000003
【図２】
2009218823.tif 000004
【図３】
2009218823.tif 000005
【図４】
2009218823.tif 000006
【図５】
2009218823.tif 000007
【図６】
2009218823.tif 000008
【図７】
2009218823.tif 000009
【図８】
2009218823.tif 000010
【図９】
2009218823.tif 000011
【図１０】
2009218823.tif 000012
【図１１】
2009218823.tif 000013
【図１２】
2009218823.tif 000014